(57)【要約】【課題】簡易な処理で、投射画像の画像重複領域における合成輝度を均一とすることが可能な仕組みを提供する。【解決手段】左側投射型画像表示装置１００−１における投射画像のスクリーン２１０への表示を黒画面表示とし、右側投射型画像表示装置１００−２における投射画像のスクリーン２１０への表示を輝度補正を有効とした画面表示とする表示制御部２３１と、スクリーンに投射された２つの投射画像の画像重複領域Ａ１１５を撮影装置２２０を用いて撮影する撮影制御部２３２と、撮影により得られた撮影画像に基づいて右側投射型画像表示装置１００−２における投射画像の画像重複領域Ａ１１５の輝度補正特性を測定する測定部２３３と、測定により得られた輝度補正特性における逆特性に基づいて左側投射型画像表示装置１００−１における投射画像の画像重複領域Ａ１１５の輝度補正特性を左側投射型画像表示装置１００−１に設定する設定部２３４を備える。【選択図】図２
2016109934.tif 000002
【特許請求の範囲】
【請求項１】
複数の投射型画像表示装置における各投射型画像表示装置からスクリーンに対して各投射画像の一部が重複するように前記各投射画像を投射して、前記スクリーンに前記各投射画像からなる表示画像を表示する画像表示システムであって、
前記複数の投射型画像表示装置のうち、第１の投射型画像表示装置における前記投射画像の前記スクリーンへの表示を黒画面表示とするとともに、第２の投射型画像表示装置における前記投射画像の前記スクリーンへの表示を輝度補正を有効とした画面表示とする第１の表示制御を行う表示制御手段と、
前記第１の表示制御により前記スクリーンに投射された前記第１の投射型画像表示装置における前記投射画像と前記第２の投射型画像表示装置における前記投射画像との重複領域である画像重複領域を、撮影装置を用いて撮影する第１の撮影制御を行う撮影制御手段と、
前記第１の撮影制御により得られた撮影画像に基づいて、前記第２の投射型画像表示装置における前記投射画像の前記画像重複領域の輝度補正特性である第２の輝度補正特性を測定する測定手段と、
前記第２の輝度補正特性における逆特性に基づいて、前記第１の投射型画像表示装置における前記投射画像の前記画像重複領域の輝度補正特性である第１の輝度補正特性を前記第１の投射型画像表示装置に設定する設定手段と
を有することを特徴とする画像表示システム。
【請求項２】
前記表示制御手段は、さらに、前記第２の投射型画像表示装置における前記投射画像の前記スクリーンへの表示を黒画面表示とするとともに、前記第１の投射型画像表示装置における前記投射画像の前記スクリーンへの表示を、当該投射画像の前記画像重複領域における当該投射画像の内側部の表示輝度が１００％となり且つ当該投射画像の前記画像重複領域における当該投射画像の端部の表示輝度が０％となるように画像信号の階調が直線的な変化を有する画面表示とする第２の表示制御を行い、
前記撮影制御手段は、さらに、前記第２の表示制御により前記スクリーンに投射された前記第１の投射型画像表示装置における前記投射画像と前記第２の投射型画像表示装置における前記投射画像との重複領域である画像重複領域を、撮影装置を用いて撮影する第２の撮影制御を行い、
前記測定手段は、さらに、前記第２の撮影制御により得られた撮影画像に基づいて、前記第１の投射型画像表示装置における前記投射画像の前記画像重複領域の輝度特性を測定し、
前記設定手段は、前記第２の輝度補正特性における逆特性と前記輝度特性とに応じて、前記第１の輝度補正特性を算出して前記第１の投射型画像表示装置に設定することを特徴とする請求項１に記載の画像表示システム。
【請求項３】
前記設定手段は、前記第１の投射型画像表示装置における前記投射画像の左辺および右辺のうちの一方の前記画像重複領域、並びに、当該投射画像の上辺および下辺のうちの一方の前記画像重複領域ごとに、前記第１の輝度補正特性を前記第１の投射型画像表示装置に設定することを特徴とする請求項１または２に記載の画像表示システム。
【請求項４】
前記表示制御手段は、前記第１の表示制御として、前記第２の投射型画像表示装置における前記投射画像の前記スクリーンへの表示を、輝度補正を有効とした白画面表示とする制御を行うことを特徴とする請求項１乃至３のいずれか１項に記載の画像表示システム。
【請求項５】
前記表示制御手段は、前記第１の表示制御として、前記第２の投射型画像表示装置における前記投射画像の前記スクリーンへの表示を、輝度補正を有効とした当該投射画像を構成する色ごとの最大階調画面表示とする制御を行い、
前記設定手段は、前記色ごとに、前記第１の輝度補正特性を前記第１の投射型画像表示装置に設定することを特徴とする請求項１に記載の画像表示システム。
【請求項６】
複数の投射型画像表示装置における各投射型画像表示装置からスクリーンに対して各投射画像の一部が重複するように前記各投射画像を投射して、前記スクリーンに前記各投射画像からなる表示画像を表示する画像表示システムの制御方法であって、
前記複数の投射型画像表示装置のうち、第１の投射型画像表示装置における前記投射画像の前記スクリーンへの表示を黒画面表示とするとともに、第２の投射型画像表示装置における前記投射画像の前記スクリーンへの表示を輝度補正を有効とした画面表示とする第１の表示制御を行う第１の表示制御ステップと、
前記第１の表示制御により前記スクリーンに投射された前記第１の投射型画像表示装置における前記投射画像と前記第２の投射型画像表示装置における前記投射画像との重複領域である画像重複領域を、撮影装置を用いて撮影する第１の撮影制御を行う第１の撮影制御ステップと、
前記第１の撮影制御により得られた撮影画像に基づいて、前記第２の投射型画像表示装置における前記投射画像の前記画像重複領域の輝度補正特性である第２の輝度補正特性を測定する第１の測定ステップと、
前記第２の輝度補正特性における逆特性に基づいて、前記第１の投射型画像表示装置における前記投射画像の前記画像重複領域の輝度補正特性である第１の輝度補正特性を前記第１の投射型画像表示装置に設定する設定ステップと
を有することを特徴とする画像表示システムの制御方法。
【請求項７】
前記第２の投射型画像表示装置における前記投射画像の前記スクリーンへの表示を黒画面表示とするとともに、前記第１の投射型画像表示装置における前記投射画像の前記スクリーンへの表示を、当該投射画像の前記画像重複領域における当該投射画像の内側部の表示輝度が１００％となり且つ当該投射画像の前記画像重複領域における当該投射画像の端部の表示輝度が０％となるように画像信号の階調が直線的な変化を有する画面表示とする第２の表示制御を行う第２の表示制御ステップと、
前記第２の表示制御により前記スクリーンに投射された前記第１の投射型画像表示装置における前記投射画像と前記第２の投射型画像表示装置における前記投射画像との重複領域である画像重複領域を、撮影装置を用いて撮影する第２の撮影制御を行う第２の撮影制御ステップと、
前記第２の撮影制御により得られた撮影画像に基づいて、前記第１の投射型画像表示装置における前記投射画像の前記画像重複領域の輝度特性を測定する第２の測定ステップと
を更に有し、
前記設定ステップでは、前記第２の輝度補正特性における逆特性と前記輝度特性とに応じて、前記第１の輝度補正特性を算出して前記第１の投射型画像表示装置に設定することを特徴とする請求項６に記載の画像表示システムの制御方法。
【請求項８】
前記設定ステップでは、前記第１の投射型画像表示装置における前記投射画像の左辺および右辺のうちの一方の前記画像重複領域、並びに、当該投射画像の上辺および下辺のうちの一方の前記画像重複領域ごとに、前記第１の輝度補正特性を前記第１の投射型画像表示装置に設定することを特徴とする請求項６または７に記載の画像表示システムの制御方法。
【請求項９】
前記第１の表示制御ステップでは、前記第１の表示制御として、前記第２の投射型画像表示装置における前記投射画像の前記スクリーンへの表示を、輝度補正を有効とした白画面表示とする制御を行うことを特徴とする請求項６乃至８のいずれか１項に記載の画像表示システムの制御方法。
【請求項１０】
前記第１の表示制御ステップでは、前記第１の表示制御として、前記第２の投射型画像表示装置における前記投射画像の前記スクリーンへの表示を、輝度補正を有効とした当該投射画像を構成する色ごとの最大階調画面表示とする制御を行い、
前記設定ステップでは、前記色ごとに、前記第１の輝度補正特性を前記第１の投射型画像表示装置に設定することを特徴とする請求項６に記載の画像表示システムの制御方法。
【請求項１１】
請求項６乃至１０のいずれか１項に記載の画像表示システムの制御方法における各ステップをコンピュータに実行させるためのプログラム。
【発明の詳細な説明】
【技術分野】
【０００１】
本発明は、複数の投射型画像表示装置における各投射型画像表示装置からスクリーンに対して各投射画像の一部が重複するように各投射画像を投射して、スクリーンに各投射画像からなる表示画像を表示する画像表示システム及びその制御方法に関するものである。さらに、本発明は、上述の画像表示システムの制御方法をコンピュータに実行させるためのプログラムに関するものである。
【背景技術】
【０００２】
従来、複数の投射型画像表示装置を用いてスクリーンにマルチスクリーン画面を構成する場合、隣接する投射型画像表示装置ごとに投射する投射画像の一部が重複する画像重複領域を設け、当該画像重複領域の画像信号に対して輝度補正を行うことで継目を目立たなくしている。
【０００３】
この輝度補正を電気的に行う方法がある。この電気的輝度補正では、例えば、画像重複領域において画像端部に向かって直線的に輝度を下げるようにする場合、いわゆるディスプレイγ特性を考慮して、以下の（１）式で算出される出力画像信号Ｖｏとしなければならない。
Ｖｏ＝（（ｘ／Ｗ）＾γ）＊Ｖｉ  ・・・  （１）
【０００４】
（１）式において、Ｖｉは入力画像信号、Ｗは画像重複領域の幅、ｘは画像重複領域の画像端からの距離である。
【０００５】
（１）式から分かるように、画像重複領域の合成輝度は、投射型画像装置ごとのディスプレイγ特性の影響を受ける。これを図１１を用いて説明する。
【０００６】
図１１は、画像重複領域の輝度特性を説明するための図である。この図１１では、隣接する投射型画像表示装置の一方の投射型画像表示装置におけるディスプレイγ特性をディスプレイγ1特性とし、他方の投射型画像表示装置におけるディスプレイγ特性をディスプレイγ2特性とする。
【０００７】
図１１（Ａ）に示すように、ディスプレイγ1特性及びγ2特性が（１）式のディスプレイγ特性と一致している場合、左画面の画像重複領域の輝度補正特性と右画面の画像重複領域の輝度補正特性とが相殺されて画像重複領域の合成輝度は均一になる。しかしながら、γ1＜γのように一方のディスプレイγ特性が小さい場合、図１１（Ｂ）に示すように画像重複領域の中心付近の合成輝度が上がってしまう。逆に、γ1＞γのように一方のディスプレイγ特性が大きい場合、図１１（Ｃ）に示すように画像重複領域の中心付近の合成輝度が下がってしまう。
【０００８】
そこで、例えば、下記の特許文献１には、投射型画像装置ごとに全面に所定階調を表示してカメラで撮影し、当該撮影により得られた撮影画像から正しいディスプレイγ特性の設定をすることで合成輝度を均一とする技術が開示されている。
【先行技術文献】
【特許文献】
【０００９】
【特許文献１】特開２００２−２３８０６４号公報
【発明の概要】
【発明が解決しようとする課題】
【００１０】
上記の特許文献１に開示されている技術は、投射型画像装置ごとにそれぞれのディスプレイγ特性を測定により合わせ込む技術である。しかしながら、一方の投射画像を投射する自画面における画像重複領域の輝度補正特性と、他方の投射画像を投射する他画面における画像重複領域の輝度補正特性とが相殺されるものとなっていない場合には、やはり画像重複領域の合成輝度が均一にはならない。
【００１１】
本発明は、このような問題点に鑑みてなされたものであり、簡易な処理で、投射画像の画像重複領域における合成輝度を均一とすることが可能な仕組みを提供することを目的とする。
【課題を解決するための手段】
【００１２】
本発明の画像表示システムは、複数の投射型画像表示装置における各投射型画像表示装置からスクリーンに対して各投射画像の一部が重複するように前記各投射画像を投射して、前記スクリーンに前記各投射画像からなる表示画像を表示する画像表示システムであって、前記複数の投射型画像表示装置のうち、第１の投射型画像表示装置における前記投射画像の前記スクリーンへの表示を黒画面表示とするとともに、第２の投射型画像表示装置における前記投射画像の前記スクリーンへの表示を輝度補正を有効とした画面表示とする第１の表示制御を行う表示制御手段と、前記第１の表示制御により前記スクリーンに投射された前記第１の投射型画像表示装置における前記投射画像と前記第２の投射型画像表示装置における前記投射画像との重複領域である画像重複領域を、撮影装置を用いて撮影する第１の撮影制御を行う撮影制御手段と、前記第１の撮影制御により得られた撮影画像に基づいて、前記第２の投射型画像表示装置における前記投射画像の前記画像重複領域の輝度補正特性である第２の輝度補正特性を測定する測定手段と、前記第２の輝度補正特性における逆特性に基づいて、前記第１の投射型画像表示装置における前記投射画像の前記画像重複領域の輝度補正特性である第１の輝度補正特性を前記第１の投射型画像表示装置に設定する設定手段とを有する。
また、本発明は、上述した画像表示システムの制御方法、及び、当該制御方法をコンピュータに実行させるためのプログラムを含む。
【発明の効果】
【００１３】
本発明によれば、簡易な処理で、投射画像の画像重複領域における合成輝度を均一とすることが可能となる。
【図面の簡単な説明】
【００１４】
【図１】本発明の第１の実施形態に係る投射型画像表示装置の内部構成の一例を示すブロック図である。
【図２】本発明の第１の実施形態に係る画像表示システムの概略構成の一例を示す図である。
【図３】本発明の第１の実施形態に係る画像表示システムの制御方法における処理手順の一例を示すフローチャートである。
【図４】本発明の第１の実施形態を示し、投影画像の表示状態及び輝度補正特性を説明するための図である。
【図５】本発明の第２の実施形態に係る画像表示システムの制御方法における処理手順の一例を示すフローチャートである。
【図６】本発明の第３の実施形態を示し、画像信号（画像信号の階調）と出力輝度（表示輝度）との関係の一例を示す図である。
【図７】本発明の第３の実施形態に係る画像表示システムの制御方法における処理手順の一例を示すフローチャートである。
【図８】本発明の第３の実施形態を示し、投影画像の表示状態及び輝度補正特性を説明するための図である。
【図９】本発明の第４の実施形態に係る画像表示システムの制御方法を説明するための図である。
【図１０】本発明の第４の実施形態に係る画像表示システムの制御方法における処理手順の一例を示すフローチャートである。
【図１１】画像重複領域の輝度特性を説明するための図である。
【発明を実施するための形態】
【００１５】
以下に、図面を参照しながら、本発明を実施するための形態（実施形態）について説明する。
【００１６】
（第１の実施形態）
まず、本発明の第１の実施形態について説明する。
【００１７】
図１は、本発明の第１の実施形態に係る投射型画像表示装置１００の内部構成の一例を示すブロック図である。
【００１８】
投射型画像表示装置１００は、図１に示すように、重複領域設定部１１０、重複領域補正タイミング生成部１２０、輝度補正部１３０、ライトバルブ駆動部１４０、及び、ライトバルブ１５０を有して構成されている。
【００１９】
重複領域設定部１１０は、マルチスクリーン画面の構成において投射画像の画像重複領域を設定する。
【００２０】
重複領域補正タイミング生成部１２０は、同期信号に基づいて、重複領域設定部１１０で設定された画像重複領域における画素位置を生成する。
【００２１】
輝度補正部１３０は、図１に示すように、重複領域輝度補正係数生成部１３１、輝度補正係数格納部（図１では「ＬＵＴ」と記載する）１３２、及び、乗算器１３３を有して構成されている。重複領域輝度補正係数生成部１３１は、重複領域補正タイミング生成部１２０で生成される画像重複領域における画素位置に応じてＬＵＴ１３２から読み出す輝度補正係数の値に基づいて、入力画像信号に適用する輝度補正データ（輝度補正係数）を生成する。乗算器１３３は、重複領域輝度補正係数生成部１３１で生成される輝度補正データ（輝度補正係数）を入力画像信号に乗算することにより、入力画像信号の輝度補正を行う。輝度補正部１３０で輝度補正された画像信号は、ライトバルブ駆動部１４０及びライトバルブ１５０を介してスクリーン（図２に示すスクリーン２１０）に投射される。
【００２２】
図２は、本発明の第１の実施形態に係る画像表示システム２００の概略構成の一例を示す図である。
【００２３】
画像表示システム２００は、複数の投射型画像表示装置１００における各投射型画像表示装置からスクリーン２１０に対して各投射画像の一部が重複するように各投射画像を投射して、スクリーン２１０に各投射画像からなる表示画像を表示するものである。この画像表示システム２００は、複数の投射型画像表示装置１００、スクリーン２１０、撮影装置２２０、及び、制御・処理装置２３０を有して構成されている。
【００２４】
図２では、説明を簡単にするために、複数の投射型画像表示装置１００として、左側に配設された左側投射型画像表示装置１００−１と右側に配設された右側投射型画像表示装置１００−２との２つの投射型画像表示装置を設けた例を示している。
【００２５】
左側投射型画像表示装置１００−１及び右側投射型画像表示装置１００−２は、それぞれ、図１に示す内部構成を具備して構成されている。この各投射型画像表示装置１００−１及び１００−２は、制御・処理装置２３０による制御に基づいて、スクリーン２１０に対して各投射画像の一部が重複するように各投射画像を投射して、スクリーン２１０に各投射画像からなる表示画像を表示する。
【００２６】
スクリーン２１０は、各投射型画像表示装置１００−１及び１００−２から投射される各投射画像を表示するものである。ここで、図２に示す例では、スクリーン２１０には、左側投射型画像表示装置１００−１から投射される投射画像を表示する左画面Ａ１１０と、右側投射型画像表示装置１００−２から投射される投射画像を表示する右画面Ａ１２０が形成されている。また、図２に示す例では、スクリーン２１０には、表示されたこれらの投射画像の重複領域（左画面Ａ１１０と右画面Ａ１２０との重複領域）である画像重複領域Ａ１１５が形成されている。
【００２７】
撮影装置２２０は、制御・処理装置２３０による制御に基づいて、スクリーン２１０に形成された画像重複領域Ａ１１５撮影して、撮影画像を生成する。なお、この撮影装置２２０は、スクリーン２１０に投射された投射画像を不足なく取り込めるものとする。
【００２８】
制御・処理装置２３０は、画像表示システム２００における動作を統括的に制御するとともに、必要に応じて、各種の処理を行う。この制御・処理装置２３０は、図２に示すように、表示制御部２３１、撮影制御部２３２、測定部２３３、及び、設定部２３４を有して構成されている。
【００２９】
表示制御部２３１は、各投射型画像表示装置１００−１及び１００−２からスクリーン２１０に対して各投射画像の一部が重複するように各投射画像を投射させ、スクリーン２１０に各投射画像からなる表示画像を表示する表示制御を行う。
【００３０】
ここで、第１の実施形態では、輝度補正対象の投射型画像表示装置（第１の投射型画像表示装置）を左側投射型画像表示装置１００−１とし、輝度補正対象でない投射型画像表示装置（第２の投射型画像表示装置）を右側投射型画像表示装置１００−２とする。
この場合、第１の実施形態では、表示制御部２３１は、輝度補正対象の左側投射型画像表示装置１００−１における投射画像の左画面Ａ１１０への表示を黒画面表示とする表示制御を行う。同時に、表示制御部２３１は、輝度補正対象でない右側投射型画像表示装置１００−２における投射画像の右画面Ａ１２０への表示を輝度補正を有効とした画面表示（具体的に第１の実施形態では、白画面表示）とする表示制御を行う。
【００３１】
撮影制御部２３２は、撮影装置２２０を制御して、撮影装置２２０に画像重複領域Ａ１１５を撮影させる撮影制御を行う。
【００３２】
測定部２３３は、撮影制御部２３２による撮影制御により撮影装置２２０において得られた撮影画像に基づいて、画像重複領域Ａ１１５の輝度補正特性を測定する。
具体的に、第１の実施形態では、測定部２３３は、輝度補正対象でない投射型画像表示装置（第２の投射型画像表示装置）である右側投射型画像表示装置１００−２における投射画像の画像重複領域Ａ１１５の輝度補正特性（第２の輝度補正特性）を測定する。
【００３３】
設定部２３４は、測定部２３３で測定された輝度補正特性における逆特性に基づいて、輝度補正対象の投射型画像表示装置（第１の投射型画像表示装置）における投射画像の画像重複領域Ａ１１５の輝度補正特性（第１の輝度補正特性）を設定する。
具体的に、第１の実施形態では、設定部２３４は、輝度補正対象の左側投射型画像表示装置１００−１における投射画像の画像重複領域Ａ１１５の輝度補正特性（第１の輝度補正特性）を当該左側投射型画像表示装置１００−１のＬＵＴ１３２に設定する。
【００３４】
次に、第１の実施形態に係る画像表示システム２００の制御方法における処理手順について説明する。
【００３５】
図３は、本発明の第１の実施形態に係る画像表示システム２００の制御方法における処理手順の一例を示すフローチャートである。
【００３６】
また、図４は、本発明の第１の実施形態を示し、投影画像の表示状態及び輝度補正特性を説明するための図である。
図２に示す２画面のマルチスクリーンでは、図４（Ａ）に示すように、左画面Ａ１１０では右側で輝度補正を行い、右画面Ａ１２０では左側で輝度補正を行う。ここで、輝度補正特性は、左画面Ａ１１０では図４（Ａ）の輝度補正特性Ｓ１１０、右画面Ａ１２０では図４（Ａ）の輝度補正特性Ｓ１２０に示すように、画面（表示された投影画像）の内側部から端部に向かって直線的に輝度が低下するような特性を備えている。
【００３７】
以下、図３のフローチャートの説明を行う。
まず、ステップＳＴ１０１において、表示制御部２３１は、輝度補正対象の投射型画像表示装置（第１の投射型画像表示装置）である左側投射型画像表示装置１００−１における投射画像の左画面Ａ１１０への表示を黒画面表示とする表示制御を行う。同時に、表示制御部２３１は、輝度補正対象でない投射型画像表示装置（第２の投射型画像表示装置）である右側投射型画像表示装置１００−２における投射画像の右画面Ａ１２０への表示を輝度補正を有効とした白画面表示とする表示制御を行う。
【００３８】
具体的に、図３のステップＳＴ１０１では、図４（Ｂ）に示すように、左画面Ａ１１０を黒画面表示（或いは画面非表示）とし、右画面Ａ１２０を輝度補正を有効とした白画面表示とする。
【００３９】
続いて、ステップＳＴ１０２において、撮影制御部２３２は、撮影装置２２０を制御して、撮影装置２２０に画像重複領域Ａ１１５を撮影させる撮影制御を行う。
具体的に、ステップＳＴ１０２では、図４（Ｂ）に示す画像重複領域Ａ１１５を撮影する制御を行う。
【００４０】
続いて、ステップＳＴ１０３において、測定部２３３は、ステップＳＴ１０２の撮影制御により撮影装置２２０において得られた撮影画像に基づいて、右画面Ａ１２０の画像重複領域Ａ１１５の輝度補正特性を測定する。即ち、測定部２３３は、輝度補正対象でない右側投射型画像表示装置１００−２における投射画像の画像重複領域Ａ１１５の輝度補正特性（第２の輝度補正特性）を測定する。
具体的に、ステップＳＴ１０３では、図４（Ｂ）に示す輝度補正特性Ｓ１２１を測定する。
【００４１】
続いて、ステップＳＴ１０４において、設定部２３４は、ステップＳＴ１０３で測定された輝度補正特性における逆特性に基づいて、輝度補正対象の左側投射型画像表示装置１００−１における投射画像（即ち左画面Ａ１１０）の画像重複領域Ａ１１５の輝度補正特性（第１の輝度補正特性）を当該左側投射型画像表示装置１００−１に設定する。
具体的に、ステップＳＴ１０４では、図４（Ｂ）に示す輝度補正特性Ｓ１２１の逆特性である輝度補正特性Ｓ１１１を輝度補正データ（輝度補正係数）として、左側投射型画像表示装置１００−１のＬＵＴ１３２に格納して設定する。
【００４２】
ステップＳＴ１０４の処理が終了すると、図３のフローチャートの処理が終了する。
【００４３】
その後、輝度補正対象の左側投射型画像表示装置１００−１では、ＬＵＴ１３２に設定された輝度補正データ（輝度補正係数）に基づいて、入力画像信号の輝度補正が行われる。
【００４４】
なお、第１の実施形態では、輝度補正対象の投射型画像表示装置（第１の投射型画像表示装置）を左側投射型画像表示装置１００−１とし、輝度補正対象でない投射型画像表示装置（第２の投射型画像表示装置）を右側投射型画像表示装置１００−２とした。しかしながら、本発明においてはこの形態に限定されるものではなく、例えば逆の形態も含まれる。即ち、輝度補正対象の投射型画像表示装置（第１の投射型画像表示装置）を右側投射型画像表示装置１００−２とし、輝度補正対象でない投射型画像表示装置（第２の投射型画像表示装置）を左側投射型画像表示装置１００−１する形態も本発明に適用可能である。この形態の場合、左画面Ａ１１０の画像重複領域Ａ１１５の輝度補正特性を測定し、当該測定した輝度補正特性の逆特性を右画面Ａ１２０の画像重複領域Ａ１１５の輝度補正特性として右側投射型画像表示装置１００−２に設定する形態を採る。
【００４５】
また、第１の実施形態では、輝度補正特性は、図４に示すように、画面（表示された投影画像）の内側部から端部に向かって直線的に輝度が低下するような特性として説明したが、本発明においては、この形態に限定されるものではない。本発明においては、輝度補正特性は、画像重複領域Ａ１１５の合成輝度が均一になるような特性であればよい。
【００４６】
以上説明したように、第１の実施形態では、輝度補正対象でない投射型画像表示装置（第２の投射型画像表示装置）における投射画像の画像重複領域Ａ１１５の輝度補正特性を測定している。そして、測定した輝度補正特性における逆特性を、輝度補正対象の投射型画像表示装置（第１の投射型画像表示装置）における投射画像の画像重複領域Ａ１１５の輝度補正特性として、当該輝度補正対象の投射型画像表示装置に設定している。
かかる構成によれば、自画面（例えば左画面Ａ１１０）の画像重複領域Ａ１１５における輝度補正特性を、自画面に重複される他画面（例えば右画面Ａ１２０）の画像重複領域Ａ１１５における輝度補正特性を相殺する特性とすることができる。これにより、簡易な処理で、投射画像の画像重複領域Ａ１１５における合成輝度を均一とすることが可能となる。
【００４７】
（第２の実施形態）
次に、本発明の第２の実施形態について説明する。
【００４８】
上述の第１の実施形態では、輝度補正対象でない右側投射型画像表示装置１００−２における投射画像の右画面Ａ１２０への表示を輝度補正を有効とした白画面表示とするものであった。この場合、投射画像を構成する色画像（一般的にはＲＧＢの３色であるが、これに限定されるものではない）の全てについて同じ輝度補正データ（輝度補正係数）を用いることになる。この点、第２の実施形態では、投射画像を構成する色画像ごとに輝度補正データ（輝度補正係数）を設定して最適化を行うことにより、より良い輝度補正を可能とするものである。
【００４９】
第２の実施形態に係る画像表示システムの概略構成は、図２に示す第１の実施形態に係る画像表示システム２００の概略構成と同様である。また、第２の実施形態に係る画像表示システム２００において、左側投射型画像表示装置１００−１及び右側投射型画像表示装置１００−２は、それぞれ、図１に示す内部構成を具備して構成されている。
【００５０】
次に、第２の実施形態に係る画像表示システム２００の制御方法における処理手順について説明する。
【００５１】
図５は、本発明の第２の実施形態に係る画像表示システム２００の制御方法における処理手順の一例を示すフローチャートである。図５において、図３に示す処理ステップと同様の処理ステップについては同じ番号を付している。
【００５２】
まず、ステップＳＴ１０１Ａにおいて、表示制御部２３１は、輝度補正対象の投射型画像表示装置（第１の投射型画像表示装置）である左側投射型画像表示装置１００−１における投射画像の左画面Ａ１１０への表示を黒画面表示とする表示制御を行う。
【００５３】
続いて、ステップＳＴ１０１Ｂにおいて、表示制御部２３１は、輝度補正対象でない投射型画像表示装置（第２の投射型画像表示装置）である右側投射型画像表示装置１００−２における投射画像の右画面Ａ１２０への表示を、輝度補正を有効とした当該投射画像を構成する或る色画像の単色の最大階調画面表示とする表示制御を行う。ここで、例えば、投射型画像表示装置１００がＲＧＢからなる３色で画像表示を行う場合、例えば、ここでは、Ｒの最大階調画面表示とする表示制御を行う。
【００５４】
続いて、ステップＳＴ１０２において、撮影制御部２３２は、撮影装置２２０を制御して、撮影装置２２０に画像重複領域Ａ１１５を撮影させる撮影制御を行う。
【００５５】
続いて、ステップＳＴ１０３において、測定部２３３は、ステップＳＴ１０２の撮影制御により撮影装置２２０において得られた撮影画像に基づいて、右画面Ａ１２０の画像重複領域Ａ１１５の輝度補正特性を測定する。即ち、測定部２３３は、輝度補正対象でない右側投射型画像表示装置１００−２における投射画像の画像重複領域Ａ１１５の輝度補正特性（第２の輝度補正特性）を測定する。
【００５６】
続いて、ステップＳＴ１０４において、設定部２３４は、ステップＳＴ１０３で測定された輝度補正特性における逆特性に基づいて、輝度補正対象の左側投射型画像表示装置１００−１における投射画像（即ち左画面Ａ１１０）の画像重複領域Ａ１１５の輝度補正特性（第１の輝度補正特性）を当該左側投射型画像表示装置１００−１に設定する。このステップＳＴ１０４の具体的な処理例は、図３のステップＳＴ１０４で説明したものと同様である。
【００５７】
続いて、ステップＳＴ１０５において、制御・処理装置２３０は、投射画像を構成する全ての色画像について処理を完了したか否かを判断する。
【００５８】
ステップＳＴ１０５の判断の結果、投射画像を構成する全ての色画像については未だ処理を完了していない場合には、ステップＳＴ１０６に進む。
ステップＳＴ１０６に進むと、制御・処理装置２３０は、処理対象の色画像を変更する処理を行う。例えば、Ｒ画像については処理を完了したが、Ｇ画像及びＢ画像については未だ処理が完了していない場合には、未処理のＧ画像及びＢ画像のうちの一方を処理対象の色画像とする変更処理を行う。その後、変更した処理対象の色画像について、ステップＳＴ１０１Ｂ以降の処理を行う。
【００５９】
一方、ステップＳＴ１０５の判断の結果、投射画像を構成する全ての色画像について処理を完了した場合には、図５のフローチャートの処理が終了する。第２の実施形態では、投射画像を構成する色画像の色ごとにステップＳＴ１０４の処理が行われるため、設定部２３４は、投射画像を構成する色画像の色ごとに、輝度補正データ（輝度補正係数）を左側投射型画像表示装置１００−１のＬＵＴ１３２に設定する。
【００６０】
その後、輝度補正対象の左側投射型画像表示装置１００−１では、ＬＵＴ１３２に設定された色ごとの輝度補正データ（輝度補正係数）に基づいて、入力画像信号の輝度補正が行われる。
【００６１】
なお、図１では、ＬＵＴ１３２が１つしかないように記載されているが、第２の実施形態におけるＬＵＴ１３２は、投射画像を構成する色画像の色ごとに備えられているものとする。
【００６２】
なお、第２の実施形態においても、輝度補正対象の投射型画像表示装置（第１の投射型画像表示装置）を左側投射型画像表示装置１００−１とし、輝度補正対象でない投射型画像表示装置（第２の投射型画像表示装置）を右側投射型画像表示装置１００−２とした。しかしながら、本発明においてはこの形態に限定されるものではなく、例えば逆の形態も含まれる。即ち、輝度補正対象の投射型画像表示装置（第１の投射型画像表示装置）を右側投射型画像表示装置１００−２とし、輝度補正対象でない投射型画像表示装置（第２の投射型画像表示装置）を左側投射型画像表示装置１００−１する形態も本発明に適用可能である。この形態の場合、左画面Ａ１１０の画像重複領域Ａ１１５の輝度補正特性を測定し、当該測定した輝度補正特性の逆特性を右画面Ａ１２０の画像重複領域Ａ１１５の輝度補正特性として右側投射型画像表示装置１００−２に設定する形態を採る。
【００６３】
以上説明したように、第２の実施形態では、輝度補正対象でない投射型画像表示装置（第２の投射型画像表示装置）における投射画像の画像重複領域Ａ１１５の輝度補正特性を、当該投射画像を構成する色画像の色ごとに測定している。そして、測定した輝度補正特性における逆特性を、輝度補正対象の投射型画像表示装置（第１の投射型画像表示装置）における投射画像の画像重複領域Ａ１１５の輝度補正特性として、当該輝度補正対象の投射型画像表示装置に設定している。
かかる構成によれば、第１の実施形態における効果と同様に、簡易な処理で、投射画像の画像重複領域Ａ１１５における合成輝度を均一とすることが可能となる。さらに、第２の実施形態によれば、投射画像を構成する色画像の色ごとに輝度補正特性を設定して最適化を行うことにより、より良い輝度補正が可能となる。
【００６４】
（第３の実施形態）
次に、本発明の第３の実施形態について説明する。
【００６５】
一般に、画像表示装置は、ディスプレイγ特性がγ＝２．２となる画像信号（画像信号の階調）−出力輝度（表示輝度）特性を有している。上述した第１及び第２の実施形態における輝度補正特性は、輝度がリニア（画像信号−出力輝度特性が線形）となる信号処理系を想定したものである。しかしながら、輝度がリニアな信号処理系ではない場合には、輝度補正データ（輝度補正係数）としてディスプレイγ特性を考慮したものとしなければならない。そこで、第３の実施形態は、輝度がリニアではない信号処理系の場合を想定し、ディスプレイγ特性を考慮して輝度補正データ（輝度補正係数）を設定する形態とする。
【００６６】
第３の実施形態に係る画像表示システムの概略構成は、図２に示す第１の実施形態に係る画像表示システム２００の概略構成と同様である。また、第３の実施形態に係る画像表示システム２００において、左側投射型画像表示装置１００−１及び右側投射型画像表示装置１００−２は、それぞれ、図１に示す内部構成を具備して構成されている。
【００６７】
図６は、本発明の第３の実施形態を示し、画像信号（画像信号の階調）と出力輝度（表示輝度）との関係の一例を示す図である。
【００６８】
具体的に、輝度がリニアではない信号処理系で画像重複領域Ａ１１５における画像信号の階調特性を図６（Ａ−１）に示すように線形とした場合、表示輝度特性は、図６（Ａ−２）に示すようにディスプレイγ特性に合致したものとなる。そのため、図６（Ｂ−１）に示すように所望の画像信号の階調特性（ここでは線形）をディスプレイγ分の１乗にすることで、図６（Ｂ−２）に示すように表示輝度特性を線形特性とすることができる。
【００６９】
第３の実施形態では、自画面（例えば左画面Ａ１１０）のディスプレイγ特性に合わせて輝度補正データ（輝度補正係数）を算出して設定を行う必要がある。
【００７０】
次に、自画面（具体的には左画面Ａ１１０）のディスプレイγ特性を考慮して輝度補正データ（輝度補正係数）を最適化する、第３の実施形態に係る画像表示システム２００の制御方法における処理手順について説明する。
【００７１】
図７は、本発明の第３の実施形態に係る画像表示システム２００の制御方法における処理手順の一例を示すフローチャートである。図７において、図３に示す処理ステップと同様の処理ステップについては同じ番号を付している。
【００７２】
まず、ステップＳＴ１０１において、表示制御部２３１は、輝度補正対象の投射型画像表示装置（第１の投射型画像表示装置）である左側投射型画像表示装置１００−１における投射画像の左画面Ａ１１０への表示を黒画面表示とする表示制御を行う。同時に、表示制御部２３１は、輝度補正対象でない投射型画像表示装置（第２の投射型画像表示装置）である右側投射型画像表示装置１００−２における投射画像の右画面Ａ１２０への表示を輝度補正を有効とした白画面表示とする表示制御を行う。このステップＳＴ１０１は、第１の表示制御ステップに相当する。
【００７３】
図８は、本発明の第３の実施形態を示し、投影画像の表示状態及び輝度補正特性を説明するための図である。
具体的に、図７のステップＳＴ１０１では、図８（Ａ）に示すように、左画面Ａ１１０を黒画面表示（或いは画面非表示）とし、右画面Ａ１２０を輝度補正を有効とした白画面表示とする。
【００７４】
続いて、ステップＳＴ１０２において、撮影制御部２３２は、撮影装置２２０を制御して、撮影装置２２０に画像重複領域Ａ１１５を撮影させる撮影制御を行う。このステップＳＴ１０２は、第１の撮影制御ステップに相当する。
具体的に、このステップＳＴ１０２では、図８（Ａ）に示す画像重複領域Ａ１１５を撮影する制御を行う。
【００７５】
続いて、ステップＳＴ１０３において、測定部２３３は、ステップＳＴ１０２の撮影制御により撮影装置２２０において得られた撮影画像に基づいて、右画面Ａ１２０の画像重複領域Ａ１１５の輝度補正特性を測定する。即ち、測定部２３３は、輝度補正対象でない右側投射型画像表示装置１００−２における投射画像の画像重複領域Ａ１１５の輝度補正特性（第２の輝度補正特性）を測定する。このステップＳＴ１０３は、第１の測定ステップに相当する。
具体的に、このステップＳＴ１０３では、図８（Ａ）に示す輝度補正特性Ｓ１２１を測定する。この際、輝度補正特性Ｓ１２１を数式でｆ（ｘ）と表すものとする。
【００７６】
続いて、ステップＳＴ１１０において、表示制御部２３１は、輝度補正対象でない投射型画像表示装置（第２の投射型画像表示装置）である右側投射型画像表示装置１００−２における投射画像の右画面Ａ１２０への表示を黒画面表示とする表示制御を行う。同時に、表示制御部２３１は、輝度補正対象の投射型画像表示装置（第１の投射型画像表示装置）である左側投射型画像表示装置１００−１における投射画像の画像重複領域Ａ１１５の左画面Ａ１１０への表示をディスプレイγ特性を反映した画面表示とする表示制御を行う。このステップＳＴ１１０は、第２の表示制御ステップに相当する。
具体的に、このステップＳＴ１１０では、図８（Ｂ）に示すように、右画面Ａ１２０を黒画面表示（或いは画面非表示）とし、左画面Ａ１１０の画像重複領域Ａ１１５をディスプレイγ特性を反映した画面表示とする。
【００７７】
ここで、ディスプレイγ特性を反映した画面表示は、輝度がリニアではない信号処理系の場合、画像信号の階調が０％から１００％へ直線的に変化するものとなる。即ち、このステップＳＴ１１０では、図８（Ｂ）に示すように、左画面Ａ１１０の画像重複領域Ａ１１５の表示を、左画面Ａ１１０に投射する投射画像の画像重複領域Ａ１１５における当該投射画像の内側部の表示輝度が１００％となり且つ当該投射画像の画像重複領域Ａ１１５における当該投射画像の端部の表示輝度が０％となるように画像信号の階調が直線的な変化を有する画面表示とする。
【００７８】
続いて、ステップＳＴ１１１において、撮影制御部２３２は、撮影装置２２０を制御して、撮影装置２２０に画像重複領域Ａ１１５を撮影させる撮影制御を行う。このステップＳＴ１１１は、第２の撮影制御ステップに相当する。
具体的に、このステップＳＴ１１１では、図８（Ｂ）に示す画像重複領域Ａ１１５を撮影する制御を行う。
【００７９】
続いて、ステップＳＴ１１２において、測定部２３３は、ステップＳＴ１１１の撮影制御により撮影装置２２０において得られた撮影画像に基づいて、左画面Ａ１１０の画像重複領域Ａ１１５のディスプレイγ特性を測定する。即ち、測定部２３３は、輝度補正対象の投射型画像表示装置（第１の投射型画像表示装置）である左側投射型画像表示装置１００−１における投射画像の画像重複領域Ａ１１５の輝度特性を測定する。このステップＳＴ１１２は、第２の測定ステップに相当する。
具体的に、このステップＳＴ１１２では、図８（Ｂ）に示す輝度特性Ｇ１１０を測定する。この際、ディスプレイγ特性である輝度特性Ｇ１１０は、γ10と表せるものとする。
【００８０】
続いて、ステップＳＴ１１３において、設定部２３４は、ステップＳＴ１０３で測定された輝度補正特性（第２の輝度補正特性）における逆特性と、ステップＳＴ１１２で測定された輝度特性（ディスプレイγ特性）とに応じて、輝度補正対象の左側投射型画像表示装置１００−１における投射画像（即ち左画面Ａ１１０）の画像重複領域Ａ１１５の輝度補正特性（第１の輝度補正特性）を算出して、これを当該左側投射型画像表示装置１００−１に設定する。このステップＳＴ１１３は、設定ステップに相当する。
具体的に、ステップＳＴ１１３では、第１の輝度補正特性としてｆ（ｘ）＾（１／γ10）を算出し、これを輝度補正データ（輝度補正係数）として左側投射型画像表示装置１００−１のＬＵＴ１３２に格納して設定する。
【００８１】
ステップＳＴ１１３の処理が終了すると、図７のフローチャートの処理が終了する。
【００８２】
その後、輝度補正対象の左側投射型画像表示装置１００−１では、ＬＵＴ１３２に設定された輝度補正データ（輝度補正係数）に基づいて、入力画像信号の輝度補正が行われる。
【００８３】
なお、ここでは、第２の実施形態で説明した、投射画像を構成する色画像の色ごとに輝度補正特性を設定する具体的な方法については説明しないが、第３の実施形態において、第２の実施形態で説明した方法を適用することも可能である。即ち、第３の実施形態において、第２の実施形態と同様に投射画像を構成する色画像の色ごとに図７のステップＳＴ１０１〜ＳＴ１１３の処理を繰り返して輝度補正特性を算出し、これを左側投射型画像表示装置１００−１のＬＵＴ１３２に格納して設定してもよい。
【００８４】
また、第３の実施形態においても、輝度補正対象の投射型画像表示装置（第１の投射型画像表示装置）を左側投射型画像表示装置１００−１とし、輝度補正対象でない投射型画像表示装置（第２の投射型画像表示装置）を右側投射型画像表示装置１００−２とした。しかしながら、本発明においてはこの形態に限定されるものではなく、例えば逆の形態も含まれる。即ち、輝度補正対象の投射型画像表示装置（第１の投射型画像表示装置）を右側投射型画像表示装置１００−２とし、輝度補正対象でない投射型画像表示装置（第２の投射型画像表示装置）を左側投射型画像表示装置１００−１する形態も本発明に適用可能である。この形態の場合、まず、左画面Ａ１１０の画像重複領域Ａ１１５の輝度補正特性と右画面Ａ１２０の画像重複領域Ａ１１５の輝度特性（ディスプレイγ特性）を測定する。そして、測定した左画面Ａ１１０の画像重複領域Ａ１１５の輝度補正特性における逆特性と、測定した右画面Ａ１２０の画像重複領域Ａ１１５の輝度特性とに応じて、右画面Ａ１２０の画像重複領域Ａ１１５の輝度補正特性を算出し、これを右側投射型画像表示装置１００−２に設定する形態を採る。
【００８５】
以上説明したように、第３の実施形態では、輝度補正対象でない投射型画像表示装置（第２の投射型画像表示装置）における投射画像の画像重複領域Ａ１１５の輝度補正特性と、輝度補正対象の投射型画像表示装置（第１の投射型画像表示装置）における投射画像の画像重複領域Ａ１１５の輝度特性（ディスプレイγ特性）を測定している。そして、測定した輝度補正特性における逆特性と輝度特性（ディスプレイγ特性）とに応じて、輝度補正対象の投射型画像表示装置（第１の投射型画像表示装置）における投射画像の画像重複領域Ａ１１５の輝度補正特性を算出し、これを当該輝度補正対象の投射型画像表示装置に設定している。
かかる構成によれば、輝度がリニアではない信号処理系の場合においても、第１の実施形態における効果と同様に、簡易な処理で、投射画像の画像重複領域Ａ１１５における合成輝度を均一とすることが可能となる。
【００８６】
（第４の実施形態）
次に、本発明の第４の実施形態について説明する。
【００８７】
上述した第１〜第３の実施形態では、２つの投射型画像表示装置１００を左右に並べてスクリーンにマルチスクリーン画面を構成するものであった。第４の実施形態では、複数の投射型画像表示装置１００として、横方向に３つ且つ縦方向に３つで行列状に配置した合計９つの投射型画像表示装置１００でスクリーンにマルチスクリーン画面を構成するものである。
【００８８】
第４の実施形態に係る画像表示システムの概略構成は、図２に示す第１の実施形態に係る画像表示システム２００の概略構成と略同様であるが、投射型画像表示装置１００の数及び配置が異なる。即ち、第４の実施形態に係る画像表示システムの概略構成では、図２に示す左右に並べて配置された２つの投射型画像表示装置１００に替えて、横方向に３つ且つ縦方向に３つで行列状に配置した合計９つの投射型画像表示装置１００を配置する。また、第４の実施形態に係る画像表示システムにおいて、各投射型画像表示装置１００は、それぞれ、図１に示す内部構成を具備して構成されている。
【００８９】
図９は、本発明の第４の実施形態に係る画像表示システムの制御方法を説明するための図である。
第４の実施形態では、図９（Ａ）に示すように、横方向に３つ且つ縦方向に３つで行列状に配置した合計９つの投射型画像表示装置１００により、スクリーン２１０には、画面Ａ１０１〜Ａ１０９が構成される。
【００９０】
次に、第４の実施形態に係る画像表示システムの制御方法における処理手順について説明する。
【００９１】
図１０は、本発明の第４の実施形態に係る画像表示システムの制御方法における処理手順の一例を示すフローチャートである。図１０のフローチャートの説明を、図９を用いながら説明する。
【００９２】
まず、図１０のステップＳＴ２０１〜ＳＴ２０４では、図９（Ａ）に示す奇数番画面（Ａ１０１、Ａ１０３、Ａ１０５、Ａ１０７及びＡ１０９）を構成する投射型画像表示装置１００を、輝度補正対象の投射型画像表示装置（第１の投射型画像表示装置）とする。また、図９（Ａ）に示す偶数番画面（Ａ１０２、Ａ１０４、Ａ１０６及びＡ１０８）を構成する投射型画像表示装置１００を、輝度補正対象でない投射型画像表示装置（第２の投射型画像表示装置）とする。
【００９３】
ステップＳＴ２０１において、表示制御部２３１は、輝度補正対象の投射型画像表示装置（第１の投射型画像表示装置）１００における投射画像の奇数番画面（Ａ１０１、Ａ１０３、Ａ１０５、Ａ１０７及びＡ１０９）への表示を黒画面表示とする表示制御を行う。同時に、表示制御部２３１は、輝度補正対象でない投射型画像表示装置（第２の投射型画像表示装置）１００における投射画像の偶数番画面（Ａ１０２、Ａ１０４、Ａ１０６及びＡ１０８）への表示を輝度補正を有効とした白画面表示とする表示制御を行う。
【００９４】
具体的に、図１０のステップＳＴ２０１では、図９（Ｂ）に示すように、奇数番画面（Ａ１０１、Ａ１０３、Ａ１０５、Ａ１０７及びＡ１０９）を黒画面表示（或いは画面非表示）とする。また、図９（Ｂ）に示すように、偶数番画面（Ａ１０２、Ａ１０４、Ａ１０６及びＡ１０８）を輝度補正を有効とした白画面表示とする。
【００９５】
続いて、ステップＳＴ２０２において、撮影制御部２３２は、撮影装置２２０を制御して、撮影装置２２０に画像重複領域を撮影させる撮影制御を行う。ここで、画像重複領域の撮影は、画像重複領域ごとに個別に行っても、或いは、スクリーン２１０の全体を撮影して各画像重複領域を個別に切り出してもよい。
【００９６】
続いて、ステップＳＴ２０３において、測定部２３３は、ステップＳＴ２０２の撮影制御により撮影装置２２０において得られた撮影画像に基づいて、偶数番画面の輝度補正を行っている左辺及び上辺の画像重複領域の輝度補正特性を測定する。即ち、測定部２３３は、輝度補正対象でない投射型画像表示装置（第２の投射型画像表示装置）１００における投射画像の画像重複領域の輝度補正特性（第２の輝度補正特性）を測定する。
【００９７】
続いて、ステップＳＴ２０４において、設定部２３４は、ステップＳＴ２０３で測定された輝度補正特性における逆特性に基づいて、奇数番画面の右辺及び下辺の画像重複領域の輝度補正特性を設定する。即ち、輝度補正対象の投射型画像表示装置（第１の投射型画像表示装置）１００における投射画像（即ち奇数番画面）の右辺及び下辺の画像重複領域の輝度補正特性（第１の輝度補正特性）を当該輝度補正対象の投射型画像表示装置１００に設定する。より詳細には、第１の輝度補正特性を輝度補正データ（輝度補正係数）として、輝度補正対象の投射型画像表示装置１００のＬＵＴ１３２に格納して設定する。
【００９８】
具体的に、ステップＳＴ２０４では、図９（Ｂ）に示すように、偶数番画面Ａ１０２の左辺の画像重複領域の輝度補正特性Ｓ１０２Ｈにおける逆特性を、奇数番画面Ａ１０１の右辺の画像重複領域の輝度補正特性として設定する。同様に、偶数番画面Ａ１０６の左辺の画像重複領域の輝度補正特性Ｓ１０６Ｈにおける逆特性を、奇数番画面Ａ１０５の右辺の画像重複領域の輝度補正特性として設定する。同様に、偶数番画面Ａ１０８の左辺の画像重複領域の輝度補正特性Ｓ１０８Ｈにおける逆特性を、奇数番画面Ａ１０７の右辺の画像重複領域の輝度補正特性として設定する。
また、具体的に、ステップＳＴ２０４では、図９（Ｂ）に示すように、偶数番画面Ａ１０４の上辺の画像重複領域の輝度補正特性Ｓ１０４Ｖにおける逆特性を、奇数番画面Ａ１０１の下辺の画像重複領域の輝度補正特性として設定する。同様に、偶数番画面Ａ１０６の上辺の画像重複領域の輝度補正特性Ｓ１０６Ｖにおける逆特性を、奇数番画面Ａ１０３の下辺の画像重複領域の輝度補正特性として設定する。同様に、偶数番画面Ａ１０８の上辺の画像重複領域の輝度補正特性Ｓ１０８Ｖにおける逆特性を、奇数番画面Ａ１０５の下辺の画像重複領域の輝度補正特性として設定する。
【００９９】
次いで、図１０のステップＳＴ２０５〜ＳＴ２０８では、図９（Ａ）に示す偶数番画面（Ａ１０２、Ａ１０４、Ａ１０６及びＡ１０８）を構成する投射型画像表示装置１００を、輝度補正対象の投射型画像表示装置（第１の投射型画像表示装置）とする。また、図９（Ａ）に示す奇数番画面（Ａ１０１、Ａ１０３、Ａ１０５、Ａ１０７及びＡ１０９）を構成する投射型画像表示装置１００を、輝度補正対象でない投射型画像表示装置（第２の投射型画像表示装置）とする。
【０１００】
ステップＳＴ２０５において、表示制御部２３１は、輝度補正対象の投射型画像表示装置（第１の投射型画像表示装置）１００における投射画像の偶数番画面（Ａ１０２、Ａ１０４、Ａ１０６及びＡ１０８）への表示を黒画面表示とする表示制御を行う。同時に表示制御部２３１は、輝度補正対象でない投射型画像表示装置（第２の投射型画像表示装置）１００における投射画像の奇数番画面（Ａ１０１、Ａ１０３、Ａ１０５、Ａ１０７及びＡ１０９）への表示を輝度補正を有効とした白画面表示とする表示制御を行う。
【０１０１】
具体的に、図１０のステップＳＴ２０５では、図９（Ｃ）に示すように、偶数番画面（Ａ１０２、Ａ１０４、Ａ１０６及びＡ１０８）を黒画面表示（或いは画面非表示）とする。また、図９（Ｃ）に示すように、奇数番画面（Ａ１０１、Ａ１０３、Ａ１０５、Ａ１０７及びＡ１０９）を輝度補正を有効とした白画面表示とする。
【０１０２】
続いて、ステップＳＴ２０６において、撮影制御部２３２は、撮影装置２２０を制御して、撮影装置２２０に画像重複領域を撮影させる撮影制御を行う。ここで、画像重複領域の撮影は、画像重複領域ごとに個別に行っても、或いは、スクリーン２１０の全体を撮影して各画像重複領域を個別に切り出してもよい。
【０１０３】
続いて、ステップＳＴ２０７において、測定部２３３は、ステップＳＴ２０６の撮影制御により撮影装置２２０において得られた撮影画像に基づいて、奇数番画面の輝度補正を行っている左辺及び上辺の画像重複領域の輝度補正特性を測定する。即ち、測定部２３３は、輝度補正対象でない投射型画像表示装置（第２の投射型画像表示装置）１００における投射画像の画像重複領域の輝度補正特性（第２の輝度補正特性）を測定する。
【０１０４】
続いて、ステップＳＴ２０８において、設定部２３４は、ステップＳＴ２０７で測定された輝度補正特性における逆特性に基づいて、偶数番画面の右辺及び下辺の画像重複領域の輝度補正特性を設定する。即ち、輝度補正対象の投射型画像表示装置（第１の投射型画像表示装置）１００における投射画像（即ち奇数番画面）の右辺及び下辺の画像重複領域の輝度補正特性（第１の輝度補正特性）を当該輝度補正対象の投射型画像表示装置１００に設定する。より詳細には、第１の輝度補正特性を輝度補正データ（輝度補正係数）として、輝度補正対象の投射型画像表示装置１００のＬＵＴ１３２に格納して設定する。
【０１０５】
具体的に、ステップＳＴ２０８では、図９（Ｃ）に示すように、奇数番画面Ａ１０３の左辺の画像重複領域の輝度補正特性Ｓ１０３Ｈにおける逆特性を、偶数番画面Ａ１０２の右辺の画像重複領域の輝度補正特性として設定する。同様に、奇数番画面Ａ１０５の左辺の画像重複領域の輝度補正特性Ｓ１０５Ｈにおける逆特性を、偶数番画面Ａ１０４の右辺の画像重複領域の輝度補正特性として設定する。同様に、奇数番画面Ａ１０９の左辺の画像重複領域の輝度補正特性Ｓ１０９Ｈにおける逆特性を、偶数番画面Ａ１０８の右辺の画像重複領域の輝度補正特性として設定する。
また、具体的に、ステップＳＴ２０８では、図９（Ｃ）に示すように、奇数番画面Ａ１０５の上辺の画像重複領域の輝度補正特性Ｓ１０５Ｖにおける逆特性を、偶数番画面Ａ１０２の下辺の画像重複領域の輝度補正特性として設定する。同様に、奇数番画面Ａ１０７の上辺の画像重複領域の輝度補正特性Ｓ１０７Ｖにおける逆特性を、偶数番画面Ａ１０４の下辺の画像重複領域の輝度補正特性として設定する。同様に、奇数番画面Ａ１０９の上辺の画像重複領域の輝度補正特性Ｓ１０９Ｖにおける逆特性を、偶数番画面Ａ１０６の下辺の画像重複領域の輝度補正特性として設定する。
【０１０６】
なお、第４の実施形態では、それぞれの画面における左辺及び上辺の画像重複領域の輝度補正特性を測定し、当該輝度補正特性の逆特性を、当該画面に画像重複領域が重複する画面における右辺及び下辺の画像重複領域の輝度補正特性として設定するものであった。本発明は、この形態に限定されるものではなく、それぞれの画面における左辺及び右辺のうちの一方の画像重複領域、並びに、上辺及び下辺のうちの一方の画像重複領域ごとに、第１の輝度補正特性を輝度補正対象の投射型画像表示装置に設定するようにしてもよい。
【０１０７】
以上説明したように、第４の実施形態では、輝度補正対象の投射型画像表示装置（第１の投射型画像表示装置）における投射画像の左辺及び右辺のうちの一方の画像重複領域、並びに、当該投射画像の上辺及び下辺のうちの一方の画像重複領域ごとに、第１の輝度補正特性を輝度補正対象の投射型画像表示装置に設定するようにしている。
かかる構成によれば、第１の実施形態における効果と同様に、簡易な処理で、投射画像の画像重複領域における合成輝度を均一とすることが可能となる。さらに、第４の実施形態によれば、スクリーンに構成されたマルチスクリーン画面の全体としての輝度補正処理を簡略化することができる。
【０１０８】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【０１０９】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１１０】
１００−１  左側投射型画像表示装置（輝度補正対象の投射型画像表示装置）、１００−２  右側投射型画像表示装置（輝度補正対象でない投射型画像表示装置）、２００  画像表示システム、２１０  スクリーン、２２０  撮影装置、２３０  制御・処理装置、２３１  表示制御部、２３２  撮影制御部、２３３  測定部、２３４  設定部、Ａ１１０  左画面、Ａ１２０  右画面、Ａ１１５  画像重複領域
【図１】
2016109934.tif 000003
【図２】
2016109934.tif 000004
【図３】
2016109934.tif 000005
【図５】
2016109934.tif 000006
【図６】
2016109934.tif 000007
【図７】
2016109934.tif 000008
【図１０】
2016109934.tif 000009
【図１１】
2016109934.tif 000010
【図４】
2016109934.tif 000011
【図８】
2016109934.tif 000012
【図９】
2016109934.tif 000013